(57)【要約】      （修正有）【課題】外形全体の大きさに影響を与えず、操作押ボタンの押下げ操作が容易になるとともに、落下時の機器の毀損が避けられる携帯用情報端末機器を提供する。【解決手段】携帯用情報端末機器本体の情報表示面１１側の機器枠面部分１２に凸状盛上り部１５を設ける。使用時や取出し時、その他収納等の扱い時に誤まって路面上あるいは床面上に落しても前面の情報表示面を傷付けることがなくなる。また凸状盛上り部を、操作押ボタン１３上に設けることにより、押ボタンの弾性偏倚作用により路面や床面との衝突時の衝撃力を吸収できる。【選択図】図１
0003185639.tif 000002
【実用新案登録請求の範囲】
【請求項１】
機器本体の情報表示面側の機器枠面部分に凸状盛上り部を設けたことを特徴とする携帯用情報端末機器。
【請求項２】
前記凸状盛上り部は、前記機器枠面部分に形成された操作押ボタン上に設けられることを特徴とする請求項１に記載の携帯用情報端末機器。
【請求項３】
前記凸状盛上り部は、塑性粘土質基材の上表面に複数個のビーズ状小突起物または小物装飾品を植設して構成され、前記塑性粘土質基材の平坦底面が前記機器枠面部分または前記操作押ボタン上に貼着固定されることを特徴とする請求項１または２に記載の携帯用情報端末機器。
【請求項４】
前記凸状盛上り部は、弾性材を介して前記機器枠面部分に貼着されることを特徴とする請求項１〜３に記載の携帯用情報端末機器。
【請求項５】
前記凸状盛上り部は、弾性体で形成されることを特徴とする請求項１〜３に記載の携帯用情報端末機器。
【請求項６】
前記凸状盛上り部の盛上り高さは、機器前面に対して３〜１２ｍｍの高さに形成されることを特徴とする請求項１〜５に記載の携帯用情報端末機器。
【考案の詳細な説明】
【技術分野】
【０００１】
本考案は、スマートホンや電子装置のタブレット端末等で代表される携帯用情報端末機器に関し、特に機器の片面に露出している情報表示面を落下事故時などに毀損しないようにした携帯用情報端末機器の保護構造に関する。
【背景技術】
【０００２】
一般にスマートホンと称される携帯用の通信端末機器は使用者の片手で軽く持てる程の大きさで厚み約１ｃｍ程度の矩形箱の外形を有しており、特段蓋体のようなものはなく、常時情報表示面が露出し、この面の周囲に操作押ボタンやマイクロホン部分などが設けられ、また表示面内に各種のタッチボタン等が設けられている。機器本体自体には把持するための持ち手のようなものはなく、全体としては滑らかな表面の偏平箱形の形態を成すために、扱い時に誤って路上や床上に落して傷付けたり、表示面を毀損させてしまったりすることがある。このような事態を防止するため、機器全体を例えば片面が大きく開口した保護袋で覆うようにし、この状態で表示面の操作を行うようにしたものが知られている。
【０００３】
また、スマートホン等の携帯型電子機器の両側部を挟さむように形成され、かつ前面および背面の一部を開放したハウジングを該電子機器に装着し、このハウジングの四隅部にボール状の弾性部材を一体に固着した携帯型電子機器用バウンド式ケースも既に開示されている（特許文献１）。この場合、前記弾性部材は電子機器本体部の前面情報表示面よりも突出するように塊状に形成され、路面や床面上に落下したときに前記四隅部の弾性部材が衝撃吸収機能を果たし、電子機器本体部の毀損を防止するようにしている。
【０００４】
そのほか、携帯型電子機器の筐体背面に「きのこ」形の突起部を固着し、使用時に前記突起部の根元を２本の指（例えば人指し指と中指）の間に挟み込み、前記電子機器が使用者の手から落下するのを防止するようにしたものも知られている。
【先行技術文献】
【特許文献】
【０００５】
【特許文献１】実用新案登録第３１８３２６９号公報
【考案の概要】
【考案が解決しようとする課題】
【０００６】
この種のスマートホンのような携帯用情報端末機器は、薄い箱形の形態を有し、しかも機器本体部が通常滑らかな外面を有するため、取出し時あるいは使用中にも手から滑り落とすことがあり、路上あるいは床上に落下したとき、箱形の隅部や情報表示面を毀損させる危険がある。特に、前面の情報表示面に路面上の小石や床上の突起物が当ると、前記表示面がひび割れ等の破損をきたし、使用不可能となる。
【０００７】
上述した特許文献１のバウンド式ケースで覆った携帯型電子機器は落下時の衝撃が四隅部の弾性部材で緩和され、機器本体部の毀損、特に隅部や側部の毀損は防止されるものの、電子機器本体の外周にハウジングを被せる形態のため、前記ハウジングの四隅部の塊状の弾性部材によって外形が大きくなり、扱いが不便となる。また、上下、左右の側部をハウジングで覆うために、卓上式の充電器を用いるときには電子機器本体部から前記ハウジングを外さなければならず、前記ハウジングの装着、取外しが不便であり、さらに、機器本体の側部に設けられる各種の操作部やアンテナ部分を露出させる必要から、前記ハウジングの側部に多くの開口を形成しなければならず、取出しや使用中の扱い時に前記ハウジングが機器本体から外れてしまうおそれもある。
【０００８】
本考案は、使用時や取出し時、その他収納等の扱い時に誤まって路面上あるいは床面上に落しても前面の情報表示面を傷付けることがないようにした携帯用情報端末機器を提供することを目的とする。
【０００９】
本考案はまた、外形全体の大きさにそれほど影響を与えず、不慮の落下時に機器本体の情報表示面が路面や床面に接触せず、これによって情報表示面の傷付きや毀損を防止できる携帯用情報端末機器を提供することを目的とする。
【００１０】
本考案はさらに、機器前面の表示面を囲む枠面部位に設けられた機器の操作押ボタンに凸状部材を固着することにより、操作押ボタンの押下げ操作が容易となるとともに、機器を滑り落した場合にも操作押ボタンの弾性変位作用により落下衝撃力が吸収、緩和され、機器の毀損が避けられる携帯用情報端末機器を提供することを目的とするものである。
【課題を解決するための手段】
【００１１】
本考案によれば、機器本体の情報表示面側の機器枠面部分に凸状盛上り部を設けた携帯用情報端末機器が提供される。
【００１２】
本考案の１つの形態によれば、前記凸状盛上り部は、前記機器枠面部分に形成された操作押ボタン上に設けられる。
【００１３】
また本考案の他の形態によれば、前記凸状盛上り部は、塑性粘土質基材の上表面に複数個のビーズ状小突起物または小物装飾品を植設して構成され、前記塑性粘土質基材の平坦底面が前記機器枠面部分または前記操作押ボタン上に貼着固定されている。
【００１４】
本考案のさらに他の形態によれば、前記凸状盛上り部は、弾性材を介して前記機器枠面部分に貼着される。
【００１５】
本考案のさらに他の形態によれば、前記凸状盛上り部は、弾性体で形成されている。
【００１６】
本考案のさらに他の形態によれば、前記凸状盛上り部の盛上り高さは、機器前面に対して３〜１２ｍｍ、好ましくは５〜１０ｍｍの高さに形成される。
【考案の効果】
【００１７】
本考案によれば、携帯用情報端末機器の前面、即ち情報表示面に隣接して前面の機器枠面部分に凸状の盛上り部を設けたので、情報表示面が道路の路面や床面に対峙する形態で落下しても、前記表示面が路面や床面に直接接触することがなく、前記表示面を傷付けたり、毀損させたりすることがない。
【００１８】
また本考案の携帯用情報端末機器は、前記凸状の盛上り部を機器前面の操作押ボタン上に設けることにより、前記盛上り部が路面や床面に衝接したとき前記押ボタンの弾性押込み機能による緩衝作用で衝撃力が吸収され、機器自体の損傷が防止される。
【図面の簡単な説明】
【００１９】
【図１】本考案の実施例１に係る携帯用情報端末機器の斜視図である。
【図２】図１に示す携帯用情報端末機器の落下状態における側面図である。
【図３】本考案の実施例２に係る携帯用情報端末機器の平面図である。
【図４】本考案の実施例２のさらに変形例を示す平面図（ａ）および側面図（ｂ）である。
【図５】本考案の実施例３に係る凸状部材の側面図である。
【図６】本考案の実施例４に係る凸状部材を説明した側面図であって、同図（ａ）は製作途中の状態を示した図、同図（ｂ）は完成後の凸状部材の側面図である。
【図７】従来の携帯用情報通信端末機器の路面上への落下状態における側面図である。
【考案を実施するための形態】
【００２０】
次に本考案を図面を参照しつつ各種の実施例について説明する。なお、以下の実施例では、一般にスマートホンと称されている携帯用情報通信機器について例示しているが、本考案は必ずしもスマートホンに限定されるものではなく、携帯型の情報処理用タブレット端末その他の携帯用情報電子装置、携帯用端末機器にも同様に適用可能である。
【００２１】
まず本考案の実施例に先立ち、従来の携帯用情報通信端末機器について道路の路面上に落下したときの状態を図７を参照して説明する。この一般の携帯用情報通信端末機器１は、機種により操作押ボタンの配置位置など細部については若干の相違があるものの、全体としては薄形で直方体状の箱形の形態を有し、表示面となる前面２および背面３はほぼ平坦な面板で形成されている。機器前面２には押ボタン１３が配置されているものの、その高さは通常ごく僅かであり、このような形態のものを使用中に誤まって地面５上に落下させてしまい、前面２の情報表示面が地面５に衝接すると、地面５上に露出した小石や種々の突起物６で情報表示面が傷付いたり、破損したりする。また路面が雨などで濡れているときは、路面に密着した情報表示面が汚れたり、劣化したりする。
【実施例１】
【００２２】
本考案においては、図１，図２の実施例１に示すように、携帯用情報通信端末機器１０の情報表示面１１の機器枠面部分（前面）１２に露出しているセレクトボタンなどの操作押ボタン１３の上面に、この実施例では略半球状の凸状部材１５が貼着されている。押ボタン１３を押下げ操作する場合は、この凸状部材１５を押し込むことで押ボタン１３が押し下げられ、押ボタン１３の機能が果たされる。この構成に成る携帯用情報通信端末機器１０を誤まって地面や床面上に落したとき、図２に明示するように、表示面１１より大きく突出した凸状部材１５が地面５に接当し、前面の一端側の凸状部材１５と他端側の機器稜縁部１８で機器１０が地面５に対して支えられ、機器前面と地面５との間に空隙２０が生じることで表示面１１自体が地面５に密着せず、地面上の小突起１９などによって表示面１１が傷付けられることはない。
【００２３】
操作押ボタン１３はその機械的な作用として押込み外力によって弾性的に押し下げられ、外力が解除されると自動的に元位置に戻される。つまり押ボタン１３は、タッチボタンと異なり、外力に対して弾性偏倚機能を有しているため、凸状部材１５が地面５に衝突したときに押ボタン１３の弾性力で衝撃エネルギーが吸収され、機器本体側には落下時の衝撃が緩和され、衝撃による機器内部の故障などは生じない。
【００２４】
凸状部材１５の表示面１１からの高さは、機器の大きさ等の種類にもよるが、落下時の表示面と地面との間に適切な空隙２０が生じ、かつ機器使用に際して邪魔にならない範囲に設定され、一例を示すと、３〜１２ｍｍ程度、好ましくは５〜１０ｍｍ程度である。
【実施例２】
【００２５】
図３は本考案の実施例２を示した携帯用情報端末機器１０の前面における平面図である。実施例１では機器前面の押ボタン１３の上に凸状部材１５を設けたが、実施例２のように押ボタン１３の位置以外の表示面１１周囲の機器枠面１２部位に半球状の凸状部材１５を貼着させてもよい。また、凸状部材１５は必ずしも半球状の形態に限定されるものではなく、図４（ａ），（ｂ）に示すように適当な高さの角柱形の凸状部材２２であってもよい。図４の例では、角柱形の凸状部材２２は機器枠面の長辺部位２１に設けてあるが、実施例１のように押ボタン１３上に設けてもよい。さらに、凸状部材は１個に限定されず、図示していないが２個以上の凸状部材を機器前面の表示面周囲の空白部分に固着してもよい。
【実施例３】
【００２６】
図５は本考案の実施例３に係る凸状盛上り部２３を示した側面図である。この例では硬質の凸状部材１５の底面にスポンジや軟質ゴム等の弾性部材２５を固着し、この弾性部材２５の底部を携帯用情報端末機器１０の表示面周囲の機器枠面部分１２に貼着固定した構成としている。また、凸状部材自体を硬質の材質でなく、衝撃吸収機能をもつ弾性部材で構成してもよい。
【実施例４】
【００２７】
図６（ａ），（ｂ）は凸状部材１５の他の例を示した図である。この実施例の凸状部材１５は、塑性粘土質の基材２６を平坦な底面２６ａをもつ半球状に形成し、同図（ａ）の如く、この半球体の表面（底面を除く）に小さなビーズ状の多数の小突起物２７を埋め込み、小突起物２７の一端部を粘土質基材２６の表面に露出させ、図６（ｂ）に示すような表面に小突起物２７のある半球状の凸状部材１５として構成したものである。ビーズ状の小突起物２７は例えば赤、黄、青など各種の色彩を有するもの、あるいは例えば銀素材などを用いた各種の小物装飾品３０で構成し、その意匠的な外観上の効果により、落下時の毀損防止用としての印象を薄めることができる。小物装飾品３０としては各種のマスコットや人気のキャラクター、小動物を模した装飾品が挙げられる。粘土質基材２６は凸状に形造るとき、およびその上に小突起物や装飾物を植えるときには軟性を有するが、時間が経つと全体が硬化する。なお、前記粘土質基材２６は上述のような半球状の形状であるものに限定されず、楕円形、矩形その他の形状としてもよいことは勿論である。
【符号の説明】
【００２８】
１，１０  携帯用情報通信端末機器
１１  情報表示面
１２  機器枠面部分
１３  操作押ボタン
１５，２２  凸状部材
２３  凸状盛上り部
２５  弾性部材
２６  粘土質基材
２７  小突起物
３０  小物装飾品
【図１】
0003185639.tif 000003
【図２】
0003185639.tif 000004
【図３】
0003185639.tif 000005
【図４】
0003185639.tif 000006
【図５】
0003185639.tif 000007
【図６】
0003185639.tif 000008
【図７】
0003185639.tif 000009